【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】
撮像素子を介して撮像した画像を記録媒体に記録する撮影モードと、前記記録媒体に格納されている画像を再生する再生モードとを有し、前記撮影モードの時に更に近距離撮影に適したマクロモードに設定可能な電子カメラにおいて、該電子カメラは、
前記撮影モードと前記再生モードとの間のモード遷移の際に前記マクロモードの設定が保持され、
撮影モードの中で更に、動画撮影モード、連写モード、マニュアル撮影モード、オート撮影モード、人物撮影モード、風景撮影モード、及び夜景撮影モードのうち少なくとも２つの用途別モードを有し、前記用途別モードの切り換え時に前記マクロモードの設定が自動的に解除されることを特徴とする電子カメラ。
【請求項２】
請求項１の電子カメラにおいて、該電子カメラは、無操作状態のまま所定時間経過したとき自動的に電源をオフするオートパワーオフ機能を具備し、前記オートパワーオフ機能によって電源がオフした場合に前記マクロモードの設定が保持されることを特徴とする電子カメラ。
【請求項３】
請求項１又は２の電子カメラにおいて、カメラ電源のＯＮ／ＯＦＦ操作部の操作によって電源がオフされた場合には前記マクロモードの設定が自動的に解除されることを特徴とする電子カメラ。
【請求項４】
撮像素子と、
前記撮像素子により撮像した画像を記録媒体に記録する記録手段と、
前記記録媒体に格納されている画像を再生する再生手段と、
前記記録手段によって画像の記録を行う撮影モード及び前記再生手段によって画像の再生を行う再生モードを選択的に切り換えるモード選択手段と、
前記撮影モードの時に近距離撮影に適したマクロモードの設定をＯＮ／ＯＦＦ操作するためのマクロ設定操作手段と、
前記マクロ設定操作手段により設定されるマクロ設定の状態を記憶する記憶手段と、
前記モード選択手段の操作によって撮影モード及び再生モードの間のモード遷移が行われる場合に前記記憶手段に記憶しているマクロ設定の情報を保持させる制御手段と、
を備えた電子カメラであって、
撮影モードの中で更に、動画撮影モード、連写モード、マニュアル撮影モード、オート撮影モード、人物撮影モード、風景撮影モード、及び夜景撮影モードのうち少なくとも２つの用途別モードを有し、これら用途別モードを選択的に切り換える用途別モード選択手段と、を備え、
前記制御手段は、前記用途別モードの切り換え時に前記記憶手段に記憶しているマクロ設定の情報をクリアすることを特徴とする電子カメラ。
【請求項５】
請求項４の電子カメラにおいて、該電子カメラは、無操作状態のまま所定時間経過したとき自動的に電源をオフするオートパワーオフ機能を具備し、前記制御手段は、前記オートパワーオフ機能によって電源がオフした場合に前記記憶手段に記憶しているマクロ設定の情報を保持させることを特徴とする電子カメラ。
【請求項６】
請求項４又は５の電子カメラにおいて、該電子カメラは、
カメラ電源のＯＮ／ＯＦＦ操作部を有し、
前記制御手段は、前記ＯＮ／ＯＦＦ操作部の操作によって電源がオフされた場合に前記記憶手段に記憶しているマクロ設定の情報をクリアすることを特徴とする電子カメラ。
【請求項７】
請求項４乃至６の何れか１項に記載の電子カメラにおいて、前記マクロ設定操作手段として、押しボタン式のスイッチが適用されることを特徴とする電子カメラ。
【手続補正２】
【補正対象書類名】明細書
【補正対象項目名】０００７
【補正方法】変更
【補正の内容】
【０００７】
【課題を解決するための手段】
前記目的を達成するために請求項１に係る発明は、撮像素子を介して撮像した画像を記録媒体に記録する撮影モードと、前記記録媒体に格納されている画像を再生する再生モードとを有し、前記撮影モードの時に更に近距離撮影に適したマクロモードに設定可能な電子カメラにおいて、該電子カメラは、前記撮影モードと前記再生モードとの間のモード遷移の際に前記マクロモードの設定が保持され、撮影モードの中で更に、動画撮影モード、連写モード、マニュアル撮影モード、オート撮影モード、人物撮影モード、風景撮影モード、及び夜景撮影モードのうち少なくとも２つの用途別モードを有し、前記用途別モードの切り換え時に前記マクロモードの設定が自動的に解除されることを特徴としている。
【手続補正３】
【補正対象書類名】明細書
【補正対象項目名】０００８
【補正方法】変更
【補正の内容】
【０００８】
本発明によれば、マクロモードで撮影を実行した後、再生モードに切り換えて当該撮影画像を確認し、再び撮影モードに戻した場合にもマクロモードの設定が維持されており、再度撮影モードに設定した時にはマクロモードによる撮影を継続することができる。これにより、撮影モードと再生モードのモード切り換え操作のたびにマクロ設定をやり直す必要がなく、マクロモード利用時の利便性が高まる。
また、用途別モードが変更される場合は、撮影状況や撮影者の撮影意図が明らかに変わった時と考えられるため、マクロモードの設定を自動的に解除して、意図しないマクロモードによる撮影を防止する。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
更に、請求項３に示したように、カメラ電源のＯＮ／ＯＦＦ操作部の操作によって電源がオフされた場合には前記マクロモードの設定を自動的に解除することで、意図しないマクロモードによる撮影を防止できる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項４に係る電子カメラは、撮像素子と、前記撮像素子により撮像した画像を記録媒体に記録する記録手段と、前記記録媒体に格納されている画像を再生する再生手段と、前記記録手段によって画像の記録を行う撮影モード及び前記再生手段によって画像の再生を行う再生モードを選択的に切り換えるモード選択手段と、前記撮影モードの時に近距離撮影に適したマクロモードの設定をＯＮ／ＯＦＦ操作するためのマクロ設定操作手段と、前記マクロ設定操作手段により設定されるマクロ設定の状態を記憶する記憶手段と、前記モード選択手段の操作によって撮影モード及び再生モードの間のモード遷移が行われる場合に前記記憶手段に記憶しているマクロ設定の情報を保持させる制御手段と、を備えた電子カメラであって、撮影モードの中で更に、動画撮影モード、連写モード、マニュアル撮影モード、オート撮影モード、人物撮影モード、風景撮影モード、及び夜景撮影モードのうち少なくとも２つの用途別モードを有し、これら用途別モードを選択的に切り換える用途別モード選択手段と、を備え、前記制御手段は、前記用途別モードの切り換え時に前記記憶手段に記憶しているマクロ設定の情報をクリアすることを特徴としている。
【手続補正９】
【補正対象書類名】明細書
【補正対象項目名】００１６
【補正方法】変更
【補正の内容】
【００１６】
本発明の電子カメラにおいて、更に、請求項５に記載の如く、無操作状態のまま所定時間経過したとき自動的に電源をオフするオートパワーオフ機能を具備し、前記制御手段は、前記オートパワーオフ機能によって電源がオフした場合に前記記憶手段に記憶しているマクロ設定の情報を保持させる態様がある。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明の他の態様に係る電子カメラは、請求項６に示したように、カメラ電源のＯＮ／ＯＦＦ操作部を有し、前記制御手段は、前記ＯＮ／ＯＦＦ操作部の操作によって電源がオフされた場合に前記記憶手段に記憶しているマクロ設定の情報をクリアすることを特徴としている。
【手続補正１２】
【補正対象書類名】明細書
【補正対象項目名】００１９
【補正方法】削除
【補正の内容】